(57)【特許請求の範囲】
【請求項１】
無線ユニットと、
前記無線ユニットを収納する筐体と、
前記筐体に設けられ、弾性を有する金属製の接地部とを備え、
前記接地部は、導電性と弾性力を有する略山形の凸部を含み、
前記無線ユニットは、導電性を有し前記凸に合致するよう形成された凹部を有し、
前記無線ユニットを前記筐体に収納したときに、前記接地部の凸部が前記無線ユニットの凹部に弾性力により接触することにより、前記無線ユニットと前記筐体とを電気的に接地したことを特徴とする無線装置。
【請求項２】
前記筐体は第１のコネクタを有する回路基板を備え、
前記無線ユニットは第２のコネクタを有し、
前記無線ユニットを前記筐体に収納したときに、前記第１のコネクタと前記第２のコネクタとが接続されることを特徴とする請求項１記載の無線装置。
【請求項３】
前記筐体が複数からなり、第１の前記筐体の一面に前記凸部を有する前記接地部が設けられ、前記第１の筐体の一面に隣接する第２の前記筐体の一面に凹部が形成されており、
前記第１の筐体と前記第２の筐体とを取り付けたときに、前記接地部の凸部が前記第２の筐体の凹部に接触することにより、前記第１の筐体と前記第２の筐体とを電気的に接地したことを特徴とする請求項１または請求項２記載の無線装置。
【発明の詳細な説明】
【技術分野】
【０００１】
本発明は、無線ユニットと、無線ユニットを収納する筐体と、金属製の接地部とを有する無線装置に関する。
【背景技術】
【０００２】
従来のプリント板の実装装置は、シェルフの背面に配置されたバックパネルにプリント板をプラグイン接続するプリント板の実装構造であって、プリント板に、バックパネルへの接続前にバックパネルの補強棒に圧接し、補強棒を介してプリント板のフレームグランドをとるアース金具を設けて構成する（例えば、特許文献１参照）。プリント板には、プリント板のシェルフへの挿入時、ガイドレールに圧接し、ガイドレールを介してプリント板のフレームグランドをとるアース金具が設けられている。
【特許文献１】特開平９―５１１８５号公報
【発明の開示】
【発明が解決しようとする課題】
【０００３】
しかしながら、このような従来のプリント板の実装装置では、プリント板単体にアース金具を実装せねばならず、このためプリント板を複数実装する場合、コスト高になる。また、プリント板の接触ばねの弾性力のバラツキや実装バラツキ等により複数のプリント板を実装した場合、バラツキの調整が必要となる。
【０００４】
また、このような実装装置を送信出力が１０Ｗを超えるような大出力の無線装置に適用する場合においては、フレームグランドが重要である。特に、複数の無線装置を実装する場合、フレームグランドがとれていないと、隣接する装置に電磁ノイズを与えるおそれがある。
【０００５】
本発明は、このような従来の課題を解決するためになされたものであり、無線ユニットと筐体間の電気的な接地を良好に行うことができる無線装置を提供することを目的とする。
【課題を解決するための手段】
【０００６】
本発明の無線装置は、無線ユニットと、前記無線ユニットを収納する筐体と、前記筐体に設けられ、弾性を有する金属製の接地部とを備え、前記接地部は、導電性と弾性力を有する略山形の凸部を含み、前記無線ユニットは、導電性を有し前記凸に合致するよう形成された凹部を有し、前記無線ユニットを前記筐体に収納したときに、前記接地部の凸部が前記無線ユニットの凹部に弾性力により接触することにより、前記無線ユニットと前記筐体とを電気的に接地した構成を有する
【０００７】
この構成により、無線ユニットを筐体に収納したときに、弾性を有する金属製の接地部の凸部と、これに合致する無線ユニットの凹部との面接触により、筐体と無線ユニットとの電気的な接地が良好に得られ、大電力の無線装置に適用することができる、という効果を有する。
【０００８】
本発明の無線装置は、前記筐体は第１のコネクタを有する回路基板を備え、前記無線ユニットは第２のコネクタを有し、前記無線ユニットを前記筐体に収納したときに、前記第１のコネクタと前記第２のコネクタとが接続される構成を有する。
【０００９】
この構成により、無線ユニットと、この無線ユニットを収納する筐体との電気的な接地が行えるとともに、無線ユニットとこの無線ユニットを収納する筐体との電気的な接続が行え、電磁ノイズを防ぐことができる。
【００１２】
本発明の無線装置は、前記筐体が複数からなり、第１の前記筐体の一面に前記凸部を有する前記接地部が設けられ、前記第１の筐体の一面に隣接する第２の前記筐体の一面に凹部が形成されており、前記第１の筐体と前記第２の筐体とを取り付けたときに、前記接地部の凸部が前記第２の筐体の凹部に接触することにより、前記第１の筐体と前記第２の筐体とを電気的に接地した構成を有する。
【００１３】
この構成により、無線ユニットを収納する筐体間での電気的な接地が行え、無線ユニット間での電磁ノイズを防ぐことができる。
【発明の効果】
【００１４】
本発明は、無線ユニットを筐体に収納したときに、弾性を有する金属製の接地部の凸部と、これに合致する無線ユニットの凹部との面接触により、筐体と無線ユニットとの電気的な接地が良好に得られる無線装置を提供することができるものである。
【発明を実施するための最良の形態】
【００１５】
以下、本発明の実施の形態について、図面を用いて説明する。
【００１６】
（実施の形態１）
図１は本発明の実施の形態１における無線装置の分解斜視図、図２は本発明の実施の形態１における無線装置のラック式の筐体を示す一部切欠斜視図、図３は本発明の実施の形態１における無線装置のスプリングの一例を示す斜視図、図４は本発明の実施の形態１における無線装置のスプリングの他の例を示す斜視図、図５（ａ）、（ｂ）は本発明の実施の形態１における無線装置の無線ユニットを前面側から見た斜視図および同じく背面側から見た斜視図である。
【００１７】
図１に示すように、本発明の実施の形態１における無線装置５１はラック式の筐体５に無線ユニット２２が複数実装される。図１では無線ユニット２２が筐体５に一つ実装された状態を示している。
【００１８】
図２に示すように、筐体５は、上ベース２５と下ベース２６とを両側のサイドプレート８に取り付けた構成を有する。無線ユニット実装部３１は、ねじ穴６ａを有する上シャーシ６と、ねじ穴７ａを有する下シャーシ７とを両側のサイドプレート８にリベットにて取り付けた構成を有している。上シャーシ６および下シャーシ７の各平面部には、接地部としてのスプリング１２がねじ止め等の機械的手段で取り付けられている。スプリング１２の一例を図３に示す。スプリング１２は、山上部側２９と山下部側３４とからなる山形の凸部３０を有している。スプリング１２としては、図４に示すように、スリット９を設けて、スプリング部分を独立させたものとしてもよい。また、スプリング１２は、上シャーシ６および下シャーシ７の一部を同様の形状に成す構成でもよい。
【００１９】
さらに、下シャーシ７には、樹脂製のガイドレール１９が取り付けられている。ガイドレール１９には、下部より上部の直径が大きい円柱状のガイドスペーサ１８が取り付けられている。
【００２０】
なお、筐体５には、無線ユニット２２以外のユニットも実装可能である。
【００２１】
また、無線ユニット実装部３１の背面側には、コネクタ１４と図示しないその他の電子部品とを搭載した回路基板としてのマザーボード１５が備えられている。
【００２２】
図５（ａ）、（ｂ）に示すように、無線ユニット２２は、ねじ２０を有する略コ字形の前面表示パネル１６と、カバー１７およびシャーシ２７の金属製の外郭部品とで構成されている。無線ユニット２２の背面部にはコネクタ２３が実装されている。
【００２３】
また、シャーシ２７の底面には、略コ字形のガイドレール２４が設けられている。また、シャーシ２７の上面および底面には、スプリング１２の凸部３０に合致する凹部３９がそれぞれ形成されている。
【００２４】
次に、上記無線装置の動作について、図６を用いて説明する。
【００２５】
図６は、無線ユニット２２を筐体５の無線ユニット実装部３１に取り付けるときの動作を説明する図である。
【００２６】
図６において、無線ユニット２２を筐体５の無線ユニット実装部３１に矢印方向へ挿入すると、下シャーシ７に取り付けられたガイドレール１９上にシャーシ２７の底面のガイドレール２４が当接し、無線ユニット２２はガイドレール１９上をガイドレール２４が滑りながら、無線ユニット実装部３１の奥（図６の左側）へ移動する。このとき、ガイドレール２４のコの字の下部板状部が、ガイドスペーサー１８の下部の直径の細い部分に当接する。無線ユニット２２が無線ユニット実装部３１に滑らかに挿入できるよう、ガイドレール１９は樹脂製で構成されているため、無線ユニット２２は筐体５と電気的導通がとれない。
【００２７】
さらに無線ユニット２２を挿入していくと、スプリング１２は無線ユニット２２の金属で形成された外郭部品に接触し導通を得る。このとき、無線ユニット２２と接触したスプリング１２は山形であるとともに弾性力を有しているため、山上部側２９が無線ユニット２２との接触により山下部側３４が押され図６の左方向へ延び、シャーシ平面部に接触する。スプリング１２の山上部側２９および山下部側３４には、無線ユニット２２およびシャーシ面との接触を良好にするため、ある曲率を有している。また、シャーシ面には導通を有するメッキが施されており、高い導通性が確保できる。
【００２８】
さらに無線ユニット２２を挿入することにより、無線ユニット実装部３１の背面側に配置されたマザーボード１５のコネクタ１４と無線ユニット２２のコネクタ２３とがプラグイン接続される。
【００２９】
無線ユニット２２を無線ユニット実装部３１に完全に挿入すると、図６に示す無線ユニット２２のシャーシ２７の上面および底面に設けた凹部３９にスプリング１２の凸部３０が挿入されて、さらに確実に導通がとれることになる。
【００３０】
接続後、ねじ２０を上下シャーシのねじ穴６ａ、７ａ（図２参照）に挿入し無線ユニット２２を筐体５に締結して、実装完了となる。
【００３１】
以上の構成により、本発明の実施の形態１によれば、無線ユニット２２と筐体５との電気的導通すなわち電気的な接地が良好にとれ、無線装置のシールド構造が実現できる。
【００３２】
（実施の形態２）
次に、本発明の実施の形態２について、図７および図８を用いて説明する。
【００３３】
図７は本発明の実施の形態２における複数の無線装置を示す図、図８は無線チャネルが複数の際、筐体同士が隣接する構成を示す概略図である。
【００３４】
筐体５は通常、筐体下部および上部をボルトにて堅固に固定されている。第１の筐体６１の、第２の筐体６２と接触する側面の一面には、図８に示すように筐体サイドプレート８に取り付けた凸部を有するスプリング１２を設け、第１の筐体６１の一面に隣接する第２の筐体６２の一面には図示しない谷形の凹部を設けている。
【００３５】
以上の構成により、本発明の実施の形態２によれば、複数の筐体を有する無線装置においても、第２の筐体６２の凹部に第１の筐体６１のスプリング１２の凸部３０が接触することにより、無線ユニット２２と第１の筐体６１および第２の筐体６２との電気的接地、および第1の筐体６１と第２の筐体６２との電気的な接地が行われ、良好な無線装置のシールド構造が実現できる。
【産業上の利用可能性】
【００３６】
本発明は、無線ユニットを筐体に収納したとき、接地部の凸部と無線ユニットの凹部との接触により、筐体と無線ユニットとの良好な電気的な接地が得られるという効果を有し、例えば、送信出力が１０Ｗを超えるような大出力の無線装置として有用である。
【図面の簡単な説明】
【００３７】
【図１】本発明の実施の形態１における無線装置を示す分解斜視図
【図２】本発明の実施の形態１における無線装置の筐体を示す一部切欠斜視図
【図３】本発明の実施の形態１における無線装置のスプリングの一例を示す斜視図
【図４】本発明の実施の形態１における無線装置のスプリングの他の例を示す斜視図
【図５】本発明の実施の形態１における無線装置の無線ユニットを示す斜視図
【図６】本発明の実施の形態１における無線装置の無線ユニットを筐体に取り付ける説明図
【図７】本発明の実施の形態２における無線装置を示す概略図
【図８】本発明の実施の形態２における無線装置の各筐体を示す分解斜視図
【符号の説明】
【００３８】
５    筐体
６    上シャーシ
６ａ、７ａ    ねじ穴
７    下シャーシ
８    サイドプレート
１２    スプリング
１４、２３    コネクタ
１５    マザーボード
１６    前面表示パネル
１７    カバー
１８    ガイドスペーサ
１９、２４    ガイドレール
２２    無線ユニット
２５    上ベース
２６    下ベース
２７    シャーシ
２９    山上部側
３０    スプリングの凸部
３１    無線ユニット実装部
３４    山下部側
３９    シャーシの凹部
５１    無線装置
６１    第１の筐体
６２    第２の筐体
【図１】
0004784405.tif 000002
【図２】
0004784405.tif 000003
【図３】
0004784405.tif 000004
【図４】
0004784405.tif 000005
【図５】
0004784405.tif 000006
【図６】
0004784405.tif 000007
【図７】
0004784405.tif 000008
【図８】
0004784405.tif 000009